(57)【要約】【課題】定期券機能とクレジット機能を有する定期券付きクレジットカードの発行や更新を定期券発売機で行えるような定期券付きクレジットカード発行システムの提供。【解決手段】磁気定期券とビュースイカを定期券発売機１２へ投入すると（Ｓ１ｄ、Ｓ２ｄ）、定期券発売機１２は、投入された磁気定期券とビュースイカについて、使用許可の判定（Ｓ３ｄ）、有効期限の判定（Ｓ５ｄ）を行う。これらの判定・チェック結果がＮＧであれば、発行処理を中止してカードを返却してカードの発行替を行わない。一方、全ての判定・チェック結果がＯＫであれば、ＳＦチャージを行うか否かを判断しＳＦ最終履歴の更新を行い、必要に応じてＳＦチャージ金額を定期券発売機１２へ投入する（Ｓ７ｄ）。次に暗証番号をチェックし（Ｓ８ｄ）、所定の手続きを経て新しいカードを顧客に返却する（Ｓ１０ｄ）。【選択図】図３
2007265070.tif 000002
【特許請求の範囲】
【請求項１】
定期券機能とクレジット機能とを有する定期券付きクレジットカードを発行する定期券付きクレジットカード発行システムであって、
磁気ストライプによって前記定期券機能を実現する第１のカードの情報と、前記クレジット機能を有する第２のカードの情報とを読み取って前記定期券付きクレジットカードを発行するカード発売機を備えたことを特徴とする定期券付きクレジットカード発行システム。
【請求項２】
定期券機能とクレジット機能とを有する定期券付きクレジットカードを発行する定期券付きクレジットカード発行システムであって、
ＩＣチップを搭載して前記定期券機能を実現する第１のカードの情報と、前記クレジット機能を有する第２のカードの情報とを読み取って前記定期券付きクレジットカードを発行するカード発売機を備えたことを特徴とする定期券付きクレジットカード発行システム。
【請求項３】
前記カード発売機は、投入された前記第１のカードの定期有効期限に基づいて、前記定期券付きクレジットカードの新規発行または更新を行うことを特徴とする請求項１または請求項２に記載の定期券付きクレジットカード発行システム。
【請求項４】
前記カード発売機は、投入された前記第２のカードのクレジット有効期限が過ぎている場合は前記定期券付きクレジットカードの発行を行わないことを特徴とする請求項１乃至請求項３のいずれかに記載の定期券付きクレジットカード発行システム。
【請求項５】
前記カード発売機は、前記定期券付きクレジットカードが紛失されたとき、所定の手続きによって当該定期券付きクレジットカードのクレジット機能を停止させることを特徴とする請求項１乃至請求項４のいずれかに記載の定期券付きクレジットカード発行システム。
【請求項６】
前記カード発売機は、前記定期券付きクレジットカードが紛失されたときは、所定の手続きによって当該定期券付きクレジットカードの定期券機能を実現する代用カードを発行することを特徴とする請求項１乃至請求項５のいずれかに記載の定期券付きクレジットカード発行システム。
【請求項７】
前記カード発売機は、前記定期券付きクレジットカードに残高情報が残っているときは、あらかじめ定めた任意の時期まで前記残高情報の決済を行うことを特徴とする請求項１乃至請求項６のいずれかに記載の定期券付きクレジットカード発行システム。
【発明の詳細な説明】
【技術分野】
【０００１】
本発明は、定期券とクレジットカードが一体化されたＩＣカードによる定期券付きクレジットカードを発行するための定期券付きクレジットカード発行システムに関し、特に、鉄道機関で利用される鉄道用ＩＣカードによる定期券付きクレジットカードを発行するための定期券付きクレジットカード発行システムに関する。
【背景技術】
【０００２】
従来、クレジットカードは、会員番号等のデータが書き込まれた磁気ストライプを有するプラスチックカードを用いて発行されていた。また、より大きな記憶容量を有するＩＣ（Integrated Circuit：集積回路）チップを埋め込んだＩＣカードをクレジットカードに応用するための実用化も行われている。通常、このようなクレジットカードはクレジットの専用カードとして発行されている。また、近年では、クレジットカードの機能（以下、クレジット機能という）と交通機関の定期券や乗車券などの機能（以下、定期券機能という）とを一体化した定期券付きクレジットカードを発行することが可能になっている。このような定期券付きクレジットカードは、交通機関の改札口の入出場、駅における定期券の継続購入、普通乗車券・特急券などの切符の購入、あるいはストアドフェア残高のチャージ、駅内店舗での買い物などが１枚のカードでできるようになるため、利用客にとっては何種類ものカードをいちいち出し入れする必要がなくなり利便性が一段と向上する。
【０００３】
特に、近年では、鉄道会社などにおいてはリサイクル使用できるＩＣカードを用いた自動改札システムが利用され始めている。以下の説明では、このようなＩＣカードを鉄道用ＩＣカードと云うことにする。鉄道用ＩＣカードは、例えば、定期券情報と共に乗車券として利用するための金額情報が書き込まれた『Ｓｕｉｃａ定期券（登録商標）』などと呼ばれ、定期券を兼ねたプリペイド型の乗車券として広く普及し始めている。このような鉄道用ＩＣカード（つまり、Ｓｕｉｃａ定期券（登録商標））を乗車券として利用する場合には、あらかじめ鉄道用ＩＣカードに所定の金額情報をチャージ（入金処理）しておけば、この鉄道用ＩＣカードを自動改札機の読取部に触れることによって鉄道用ＩＣカードにチャージされている金額情報が読み取られ、この鉄道用ＩＣカードにチャージされている金額情報から乗車料金が相殺されて行くので、プリペイド型の乗車券として極めて便利なカードである。このような鉄道用ＩＣカードに金額情報をチャージする場合は、通常、カード発売機や乗越し精算機などの読書装置に鉄道用ＩＣカードと所定の金額を投入すれば、その鉄道用ＩＣカードに所定の金額情報が書き込まれてチャージが行われる。
【０００４】
また、最近は、磁気ストライプやＩＣチップなどに顧客情報が記録されたクレジットカードを利用して鉄道用ＩＣカードへ所定の金額情報をチャージすることができる定期券付きクレジットカードも実現している。たとえば、鉄道用ＩＣカードを流通させている鉄道会社自身が発行している『ビュースイカ（登録商標）』と呼ばれるクレジットカードによって鉄道用ＩＣカードに金額情報をチャージすることができるような、クレジット機能に対応した『Ｓｕｉｃａ定期券（登録商標）』などのような定期券が一体化されたクレジットカードが広く利用され始めている。このような定期券付きクレジットカードに関する技術は、例えば、下記の特許文献１などに開示されている。
【特許文献１】特許第３４２８９５８号公報（段落番号００１４〜００３８、図１〜図７）
【発明の開示】
【発明が解決しようとする課題】
【０００５】
しかしながら、上記のような定期券付きクレジットカードを実現するには、次のような課題を解決する必要がある。第１に、定期券にクレジット機能を付加する際には、利用客の審査を行い、審査結果に基づきクレジット機能付加の可否を判定できる仕組みを構築する必要がある。また、第２に、一旦定期券にクレジット機能を付加した後にも、当該利用客の信用状況の変化に応じてクレジット機能を取り消さなければならない状況が起こる可能性があり、これを容易に実現できるシステムとする必要がある。また、第３に、従来のクレジットカードでは、５４ミリメートル（縦）×８５ミリメートル（横）程度の小さな券面に、クレジットカード会社あるいはクレジットカードブランドを表わすロゴマークを印刷し、会員番号、会員氏名、および有効期限等を示す文字をエンボス加工するとともに、磁気ストライプのための領域を確保する必要があった。一方、従来の定期券にも乗車区間や有効期間や価格や利用客の氏名、年齢、性別等が印刷表示されており、このような定期券をクレジットカードと一体化するためには、券面上の配置や印刷方法を工夫する必要がある。特に、同一のカードに関して、上記のようにクレジット機能が動的に付加されたり取り消されたりするため、これに対応した券面表示の工夫の必要がある。
【０００６】
さらに、第４には、定期券付きクレジットカードにおける定期券の有効期限とクレジットカードの有効期限の相違によって発生する定期券の二重の存在を防止するための適正な手段が存在していなかったので、定期券の書き換え処理や決済処理などが複雑になって利用者にとっては手続きがかなり面倒であった。つまり、クレジットカードの機能のみであれば、例えば、有効期限前の１ヶ月間は新旧カードが重複していても何ら問題は生じない。しかし、定期券機能とクレジット機能を持つ定期券付きクレジットカードの場合は、定期券とクレジットカードの有効期限が異なるときには、クレジットカードの有効期限前にカードを発行すると定期券が二重に存在してしまうことがある。したがって、そのような不具合の発生を防ぐための処理がかなり複雑になっていた。そのため、結果的には、定期券付きクレジットカードの利用者にとっては、クレジットカードの有効期限の前後はかなり使い勝手の悪いものとなってしまう。
【０００７】
さらに、第５には、定期券付きクレジットカードの更新などを行う場合は、顧客自身が駅窓口に出向いてそのカードの更新を行わなければならず、駅窓口が混雑しているときなどは更新を行うためにかなりの時間がかかるなど、顧客側に不便が強いられていた。つまり、顧客自身で定期券付きクレジットカードの更新処理が行えるような付加機能を備えた券売機等が駅構内に備えられていないために、定期券付きクレジットカードの更新を駅窓口で行わざるを得ないのが現状である。
【０００８】
本発明は、以上のような問題点に鑑みてなされたものであり、定期券機能とクレジット機能とを１枚のカードに一体化しても、定期券またはクレジットの有効期限前に定期券が二重に存在することがないような定期券付きクレジットカード発行システムを提供することを目的とする。さらに、定期券機能とクレジット機能を有する定期券付きクレジットカードの発行や更新を、顧客自身が定期券発売機によって行えるような定期券付きクレジットカード発行システムを提供することをもう一つの目的とする。
【課題を解決するための手段】
【０００９】
本発明は、上記の目的を達成するために創案されたものであり、第１の発明の定期券付きクレジットカードは、定期券機能とクレジット機能とを有する定期券付きクレジットカードを発行する定期券付きクレジットカード発行システムであって、磁気ストライプによって定期券機能を実現する第１のカードの情報と、クレジット機能を有する第２のカードの情報とを読み取って定期券付きクレジットカードを発行するカード発売機を備えた構成を採っている。
【００１０】
かかる構成によれば、顧客が、磁気ストライプによって定期券機能を実現する第１のカード（例えば、磁気定期券）とクレジット機能を有する第２のカード（例えば、ビュースイカ）とをカード発売機（定期券発売機）に投入すれば、定期券機能とクレジット機能とを有する定期券付きクレジットカードが発行されるので顧客の利便性が一段と向上する。
【００１１】
また、第２の発明の定期券付きクレジットカードは、定期券機能とクレジット機能とを有する定期券付きクレジットカードを発行する定期券付きクレジットカード発行システムであって、ＩＣチップを搭載して定期券機能を実現する第１のカードの情報と、クレジット機能を有する第２のカードの情報とを読み取って定期券付きクレジットカードを発行するカード発売機を備えた構成を採っている。
【００１２】
かかる構成によれば、顧客が、ＩＣによって定期券機能を実現する第１のカード（例えば、Ｓｕｉｃａ定期券）とクレジット機能を有する第２のカード（例えば、ビュースイカ）とをカード発売機（定期券発売機）に投入すれば、定期券機能とクレジット機能とを有する定期券付きクレジットカードが発行されるので顧客の利便性が一段と向上する。
【００１３】
また、第３の発明の定期券付きクレジットカードは、前記各発明の構成において、カード発売機は、投入された第１のカードの定期有効期限に基づいて、定期券付きクレジットカードの新規発行または更新を行う構成を採っている。このような構成によれば、顧客がこれまで使用していた定期券（例えば、磁気定期券やＳｕｉｃａ定期券）をカード発売機（定期券発売機）に投入すれば、継続した年月日の定期券付きクレジットカードが発行されるので顧客の利便性が一段と向上する。
【００１４】
また、第４の発明の定期券付きクレジットカードは、前記各発明の構成において、カード発売機は、投入された第２のカードのクレジット有効期限が過ぎている場合は定期券付きクレジットカードの発行を行わない構成を採っている。このような構成によれば、常にクレジット機能を備えた定期券付きクレジットカードが発行されるので、顧客の利便性が一段と向上する。
【００１５】
また、第５の発明の定期券付きクレジットカードは、前記各発明の構成において、カード発売機は、定期券付きクレジットカードが紛失されたとき、所定の手続きによってその定期券付きクレジットカードのクレジット機能を停止させる構成を採っている。このような構成によれば、顧客が定期券付きクレジットカードを紛失したときは、その定期券付きクレジットカードのクレジット機能が停止されるので顧客の安全性が確保される。
【００１６】
また、第６の発明の定期券付きクレジットカードは、前記各発明の構成において、カード発売機は、定期券付きクレジットカードが紛失されたときは、所定の手続きによってその定期券付きクレジットカードの定期券機能を実現する代用カードを発行する構成を採っている。このような構成によれば、顧客が定期券付きクレジットカードを紛失したときは、所定の手続きによってその定期券付きクレジットカードの定期券機能を実現する代用カードが発行されるので、顧客の利便性が一段と向上する。
【００１７】
また、第７の発明の定期券付きクレジットカードは、前記各発明の構成において、カード発売機は、定期券付きクレジットカードに残高情報が残っているときは、あらかじめ定めた任意の時期まで前記残高情報の決済を行う構成を採っている。このような構成によれば、顧客は必要に応じて残高を払い戻したり残高情報の決済を行うことができるので顧客の利便性が一段と向上する。
【発明の効果】
【００１８】
本発明の定期券付きクレジットカード発行システムによれば、顧客が、磁気定期券またはＳｕｉｃａ定期券とクレジット機能を有するカード（例えば、ビュースイカ）とを定期券発売機に投入すれば、定期券機能とクレジット機能とを有する定期券付きクレジットカードが発行されるので顧客の利便性が一段と向上する。また、顧客の使用形態にマッチした定期券付きクレジットカードを発行することができるので、顧客にとってはカード使用時の利便性が一段と向上する。
【００１９】
また、本発明の定期券付きクレジットカード発行システムによれば、顧客がこれまで使用していた定期券（例えば、磁気定期券やＳｕｉｃａ定期券）を定期券発売機に投入すれば、継続した年月日の定期券付きクレジットカードが発行されるので顧客の利便性が一段と向上する。さらに、クレジット機能を備えた定期券付きクレジットカードが発行されるので、顧客が駅構内などで購買するときの利便性が一段と向上する。また、顧客が定期券付きクレジットカードを紛失したときは、その定期券付きクレジットカードのクレジット機能が停止されるので顧客の安全性が確保される。さらに、顧客が定期券付きクレジットカードを紛失したときは、所定の手続きによってその定期券付きクレジットカードの定期券機能を実現する代用カードが発行されるので顧客の利便性が一段と向上する。
【発明を実施するための最良の形態】
【００２０】
以下、図面を参照しながら本発明における定期券付きクレジットカード発行システムの実施の形態について詳細に説明する。なお、以下の説明では、実際の運用状態を表現するために、定期券付きクレジットカードを『ビュースイカ定期券』と云うことにする。また、鉄道用ＩＣカードのことをＳｕｉｃａ定期券と云うことにする。
【００２１】
図１は、本発明においてビュースイカ定期券を運用するための定期券付きクレジットカード発行システムの構成図である。図１において、定期券付きクレジットカードであるビュースイカ定期券の運用システムの構成は、ビュースイカ定期券の窓口取り扱いを行う駅務機器・端末１と、ビュースイカ定期券のカード発行情報を付与したりＳｕｉｃａ（ＩＣカード）としての情報管理を行うＩＣカード管理システム２と、ビュースイカ定期券の会員管理をしたりビュースイカ定期券のカード発行を行うビューカードシステム３と、売上情報や定期券購入情報を管理する駅収入管理システム４と、カードを発行するカード発行システム５とを備えた構成となっている。
【００２２】
駅務機器・端末１は、ビュースイカ定期券の発行を行うカード発行システム５、定期券発売機１２、カード発売機やＡＬＴＴＥ（登録商標）などのようにビュースイカ定期券への入金処理が可能なチャージ可能機器１４、ＡＬＴＴＥ（登録商標）などのように払い戻しが可能な払戻し可能機器１５、ビュースイカ定期券の窓口取り扱いを行う端末であるマルス端末（登録商標）１６、窓口精算機１７などを備えた構成となっている。ＩＣカード管理システム２は、集中的に管理するＩＣカード管理サーバ２２を備えた構成となっている。ビューカードシステム３は、ビュースイカ定期券の処理に関する全体的な管理を行うホスト装置３１と、ホスト装置３１へ情報を入力するための端末であるＶＣＣ業務端末３２と、カードの新規発行時に審査・発行等の処理を行う審査・発行グループ３３とを備えた構成となっている。
【００２３】
次に、フロー図を用いながら図１に示す定期券付きクレジットカード発行システムの処理の流れについて説明するが、処理の流れには２通りの実施の形態があるので、以下、第１の実施の形態と第２の実施の形態とに分けて説明する。
【００２４】
〈第１の実施の形態〉
まず、フロー図を用いながら、図１に示す運用システムがビュースイカ定期券を新規発行するときの処理の流れを説明する。図２は、図１のシステム構成において、カードを新規発行するときの処理の流れを示すフロー図である。つまり、図２は、利用者（顧客）がカードを申し込んでから空のカードが発行されて利用者に郵送されるまでの処理の流れを示している。
【００２５】
図２において、まず、利用者は、カードの申込みに必要な情報を記載した入会申込書を、郵送、ＦＡＸ、またはインターネットなどによってビューカードシステム３経由でカード発行システム５へ送付する（ステップＳ１ｋ）。すると、カード発行システム５は、申込み内容を確認して必要なデータを入力し、申込書をビューカードシステム３の審査・発行グループ３３へ送付する（ステップＳ２ｋ）。さらに、カード発行システム５は、申込みデータＭＴをビューカードシステム３のホスト装置３１へ送付する（ステップＳ３ｋ）。
【００２６】
次に、審査・発行グループ３３は、入会審査を行って審査に合格しない場合は顧客へ謝絶書を送付し、審査に合格した場合は入会の決裁を行う（ステップＳ４ｋ）。さらに、審査・発行グループ３３の決裁情報はホスト装置３１の発行データベースに保存される（ステップＳ５ｋ）。また、カード発行データがカード発行システム５に送られ（ステップＳ６ｋ）、カード発行システム５において発行データ変換が行われる（ステップＳ７ｋ）。
【００２７】
さらに、カード発行システム５において、データ管理ＰＣによってＳｕｉｃａ情報が付加される。また、カード内にＳｕｉｃａの有効期限をセットする。このとき、デフォルトとしてクレジットの有効期限もセットする（ステップＳ８ｋ）。このようにしてカードを作成し、封入、封緘、梱包、発送を行い、空のカードを顧客へ送付する（ステップＳ９ｋ）。
【００２８】
また、カード発行システム５のデータ管理ＰＣから、定期券購入情報などがＩＣカード管理システム２へ送信される。また、カード発行データがカード発行システム５からビューカードシステム３のホスト装置３１へ送られ、クレジット番号とＳｕｉｃａの紐付け処理が行われる（ステップＳ１１ｋ）。
【００２９】
次に、定期券の利用者（顧客）が定期券発売機によって手持ちの磁気定期券からビュースイカ定期券への発行替えを行うときの処理の流れを説明する。図３は、図１のシステム構成において、顧客が手持ちの磁気定期券を駅構内の定期券発売機に投入してビュースイカ定期券へ発行替えを行うときの処理の流れを示すフロー図である。前提条件として、通用終了日が過ぎた磁気定期券はビュースイカ定期券への発行替えを行わない。また、クレジットの有効期限を越えた通用終了日を持つ磁気定期券からの発行替えは行うものとする。但し、通用開始日はクレジットの有効期限内とする。この場合、ビュースイカ定期券のＳｕｉｃａ有効期限を定期券の通用終了日に書き換える。
【００３０】
まず、顧客は所持している磁気定期券を定期券発売機１２へ投入する（ステップＳ１ｄ）。さらに、顧客は所持しているビュースイカを定期券発売機１２へ投入する（ステップＳ２ｄ）。すると、定期券発売機１２は、投入された磁気定期券とビュースイカが使用許可できるものであるか否かを判定する（ステップＳ３ｄ）。これらの磁気定期券とビュースイカが使用許可できないものであれば発行処理を中止して顧客にカードを返却する（ステップＳ４ｄ）。
【００３１】
時期定期券が有効期限以内のものであるか否かのチェックを行う（ステップＳ５ｄ）。そして、磁気定期券の有効期限が過ぎていれば発行処理を中止してカードを返却し、カードの発行替えを行わない。また、クレジットの有効期限が過ぎているカードには発行替えを行わない。
【００３２】
定期券発売機１２は、ＳＦチャージを行うか否かを判断してＳＦ最終履歴の更新を行う。ＳＦチャージを行う場合はＳＦチャージ金額を定期券発売機１２へ投入（入金）する（ステップＳ７ｄ）。
【００３３】
次に、定期券発売機１２は、顧客が入力した暗証番号は正常であるか否かをチェックする（ステップＳ８ｄ）。このとき、顧客が入力した暗証番号が正常でなければ、定期券発売機１２は発行処理を中止してカードを返却する。また、定期券発売機１２は、ビューカードシステム３のホスト装置３１に照会してオーソリゼーションのチェックを行い、オーソリゼーションがＮＧの場合も発行処理を中止してカードを返却する。
【００３４】
次に、定期券発売機１２は、新しいカードに定期情報及びＳＦ情報を書き込み、券面に所定の印刷を行う（ステップＳ９ｄ）。そして、定期券発売機１２は、そのカードを発行替えした新しいビュースイカ定期券として顧客に返却する（ステップＳ１０ｄ）。また、定期券発売機１２は、新しいビュースイカ定期券を発行すると、定期券購入情報をＩＣカード管理システム２へ通知する（ステップＳ１１ｄ）。なお、定期券購入情報は、定期券発売機１２からＩＣカード管理システム２へ通知される。そして、定期券発売機１２は、投入された磁気定期券を回収する（ステップＳ１２ｄ）。
【００３５】
次に、定期券の利用者（顧客）が定期券発売機によって手持ちのＳｕｉｃａ定期券からビュースイカ定期券への発行替えを行うときの処理の流れを説明する。図４は、図１のシステム構成において、顧客が手持ちのＳｕｉｃａ定期券を駅構内の定期券発売機に投入してビュースイカ定期券へ発行替えするときの処理の流れを示すフロー図である。ここで、前提条件として、Ｓｕｉｃａ定期券はクレジット機能を有していない。また、通用終了日が過ぎたＳｕｉｃａ定期券の発行替えについても取り扱うものとする。さらに、クレジットの有効期限を越えた通用終了日を持つＳｕｉｃａ定期券からの発行替えも行う。但し、通用開始日はクレジットの有効期限内とする。この場合、ビュースイカ定期券のＳｕｉｃａ有効期限を定期券通用終了日に書き換える。
【００３６】
まず、顧客は所持しているＳｕｉｃａ定期券を定期券発売機１２へ投入する（ステップＳ１ｅ）。すると、定期券発売機１２は、投入されたＳｕｉｃａ定期券が使用許可できるものであるか否かを判定する（ステップＳ２ｅ）。このＳｕｉｃａ定期券が使用許可できないものであれば発行処理を中止して顧客にカードを返却する。
【００３７】
ビュースイカ定期券を定期券発売機１２へ投入する（ステップＳ４ｅ）。
【００３８】
ビュースイカ定期券が有効期限以内のものであるか否かのチェックを行う（ステップＳ７ｅ）。有効期限チェックの結果、ビュースイカ定期券の有効期限が過ぎていれば発行処理を中止してカードを返却する。また、クレジットの有効期限が過ぎているカードには発行替えを行わない。
【００３９】
定期券発売機１２は、ＳＦチャージを行うか否かを判断してＳＦ最終履歴の更新を行う。ＳＦチャージを行う場合はＳＦチャージ金額を定期券発売機１２へ投入（入金）する（ステップＳ９ｅ）。
【００４０】
このとき、顧客が入力した暗証番号が正常でなければ、定期券発売機１２は発行処理を中止して顧客にカードを返却する。また、定期券発売機１２は、ビューカードシステム３のホスト装置３１に照会してオーソリゼーションのチェックを行い、オーソリゼーションがＮＧの場合も発行処理を中止してカードを顧客に返却する。
【００４１】
次に、定期券発売機１２は、新しいカードに定期情報及びＳＦ情報を書き込み、券面に所定の印刷を行う（ステップＳ１１ｅ）。なお、Ｓｕｉｃａ情報の移し替えの際には、定期券売機１２は、そのカードを発行替えした新しいビュースイカ定期券として顧客に返却する（ステップＳ１２ｅ）。また、定期券発売機１２は、新しいビュースイカ定期券を発行すると、定期券購入情報をＩＣカード管理システム２へ通知する（ステップＳ１３ｅ）。なお、定期券購入情報は、定期券発売機１２からＩＣカード管理システム２へ通知される。
【００４２】
そして、定期券発売機１２は、投入されたＳｕｉｃａ定期券を回収し（ステップＳ１４ｅ）、通知する（ステップＳ１５ｅ）。
【００４３】
次に、カード（ビュースイカ定期券）の紛失・盗難などによるカード再発行の処理の流れを説明する。図５は、図１のシステム構成において、顧客のビュースイカ定期券が紛失・盗難にあったときの紛失・盗難デスク受付けによるカード再発行の処理の流れを示すフロー図である。まず、クレジットの停止登録を行うために、顧客は、ビューカードシステム３に対してビュースイカ定期券が紛失・盗難にあった旨の連絡を行う（ステップＳ１ｆ）。すると、ビューカードシステム３においてＶＣＣ業務端末３２からホスト装置３１に対して事故登録を行う（ステップＳ２ｆ）。これによって、ホスト装置３１からＶＣＣ業務端末３２に対して事故登録の完了通知を行う（ステップＳ３ｆ）。
【００４４】
一方、ステップＳ３ｆでホスト装置３１がＶＣＣ業務端末３２に対して事故登録の完了通知を行うと、ホスト装置３１からカード発行システム５に対してカードの再発行・再製のデータを送信する。
【００４５】
次に、カード発行システム５は、自己のデータ管理ＰＣからＩＣカード管理システム２に対してＳｕｉｃａ再発行要求を行い（ステップＳ７ｆ）、ＩＣカード管理システム２からＳｕｉｃａ再発行に必要な情報を取得する（ステップＳ８ｆ）。そして、カード発行システム５はカード（例えば、ＤＣ９０００）の再発行を行い（ステップＳ９ｆ）、データ管理ＰＣからＩＣカード管理システム２に対して明細情報を送信する（ステップＳ１０ｆ）。また、カード発行システム５は再発行したカード（ＤＣ９０００）を該当する顧客に対して郵送などによって発送する（ステップＳ１１ｆ）。
【００４６】
そして、カード発行システム５は、データ管理ＰＣの再発行データをビューカードシステム３へ送信し（ステップＳ１２ｆ）、紐付け情報の更新を行う（ステップＳ１３ｆ）。
【００４７】
また、Ｓｕｉｃａ定期券による定期補償を行う場合は、顧客の再発行申込書に基づいてマルス端末１６に整理番号を入力する（ステップＳ１ｇ）。
【００４８】
マルス端末１６は、利用者情報が正当であれば再発行ボタンを押下し（ステップＳ３ｇ）、マルスホスト１８を経由してＩＣカード管理システム２から定期券情報を取得し（ステップＳ４ｇ）、エンコード情報の編集を行う（ステップＳ５ｇ）。そして、マルス端末１６は、Ｓｕｉｃａ定期券を再発行して顧客に渡す（ステップＳ６ｇ）。このとき、マルス端末１６は、マルスホスト１８を経由してＩＣカード管理システム２へ送信する。
【００４９】
＜第２の実施形態＞
図６は、図１のシステム構成において、ビュースイカ定期券を新規発行する処理の流れを示すフロー図であり、図７は図２の続きのフロー図である。つまり、図６および７は、利用者がビュースイカ定期を申し込んでからビュースイカ定期券が発行されて利用者に郵送されるまでの処理の流れを示している。
【００５０】
図６において、まず、利用者は、必要な定期券情報を記載したビュースイカ定期券の申込書を、郵送、ＦＡＸ、またはインターネットなどによってビューカードシステム３へ送付する。また、必要に応じてＳｕｉｃａ定期券のＩＤ番号を申込書に記入して送付する（ステップＳ１ａ）。すると、駅職員は、ビューカードシステム３のＶＣＣ業務端末３２より申込書の内容にしたがって定期券情報データの入力を行い、これらの定期券情報データをビューカードシステム３のホスト装置３１へ送信する（ステップＳ２ａ）。これによって、ビューカードシステム３のホスト装置３１は、ＩＤ番号よりビュースイカ定期券情報データを取得し、ビュースイカ定期券の申込書の情報（仮名氏名、生年月日、性別など）との照合チェックを行ってリストを出力する。このとき、エラー発生のときのその旨の情報を出力するようにしてもよい。なお、定期券情報データを設定する箇所は駅務機器・端末１のカード発行システム５とする。
【００５１】
次に、ビューカードシステム３のホスト装置３１は、ビュースイカ定期券のＩＤ番号や個人情報（氏名、性別、生年月日、電話番号など）などのようなビュースイカ定期券の発行情報を作成し、その発行情報を駅務機器・端末１のカード発行システム５へ送信する。これによって、駅務機器・端末１のカード発行システム５は、ビュースイカ定期券のＩＤ番号に基づいて発行情報より定期券情報データを取得する（ステップＳ７ａ）。
【００５２】
ここで、駅務機器・端末１のカード発行システム５は、定期券情報データの取得時に定期券の有効期限が例えば１ヶ月以上とか２週間以上の場合及びＩＤ番号が未記入の場合は、定期券情報の部分にダミーデータを書き込んでＩＣカード管理システム２へ送信する（ステップＳ８ａ）。すると、ＩＣカード管理システム２の２１は、定期券情報の部分にダミーデータが書き込まれた情報を受け取った旨の確認応答を駅務機器・端末１のカード発行システム５へ返信する（ステップＳ９ａ）。さらに、２１は、定期券情報の部分にダミーデータが書き込まれた情報をＩＣカード管理システム２へ送信する（ステップＳ１０ａ）。なお、ダミーデータや定期券情報データの有無や有効期限のチェックは図示しないデータ管理ＰＣにて行う。
【００５３】
これによって、駅務機器・端末１のカード発行システム５は、クレジット情報やＳｕｉｃａ定期券情報をエンコードし、定期券情報の部分にダミーデータを書き込んだカードを活性化してビュースイカ定期券として発行する。このとき、駅務機器・端末１のカード発行システム５は、発行したビュースイカ定期券の明細情報と定期券購入情報をＩＣカード管理システム２のＩＣカード管理サーバ２２へ送信する（ステップＳ１１ａ）。ここで、駅務機器・端末１のカード発行システム５は、定期券情報がない場合は、売上ゼロ、定期券額ゼロ、及び定期券情報ダミーとしてＩＣカード管理システム２のＩＣカード管理サーバ２２へ送信する。
【００５４】
次に、図７において、駅務機器・端末１のＩＣカード管理システム５は、会員（利用者）ごとに非活性状態または活性状態のビュースイカ定期券を郵送する（ステップＳ１２ａ）。また、会員ごとに郵送された非活性状態または活性状態のビュースイカ定期券に関する情報は、駅務機器・端末１のカード発行システム５から紐付けによってビューカードシステム３へのホスト装置３１へ送信される（ステップＳ１３ａ）。
【００５５】
ここで、ステップＳ１２ａにおいて、非活性状態のビュースイカ定期券は、郵送された時点では定期券情報が入力されていないので定期券として使えないが、ＩＤ番号が記入されていて、定期券情報のチェックを行い、定期券情報をカードに移行して活性化すれば定期券として使用できる会員（利用者）に対して郵送される。つまり、ダミーデータが書き込まれていて非活性状態のビュースイカ定期券（非活性カード）は、クレジットカードとして使用することはできるが定期券として使用することができないので、定期券として使用するためには、非活性カードに定期券情報を取り込んで活性化する処理を行う必要である。なお、定期券情報をカードに取り込まなくてもＳＦ（ストアドフェア、つまりＳｕｉｃａカードに残された残高）の利用は可能である。また、非活性状態のビュースイカ定期券（非活性カード）は、定期券として使用しないでクレジットカードのみで使用する利用者に対しても郵送される。
【００５６】
一方、活性状態のビュースイカ定期券（活性カード）は、ビュースイカ定期券を定期券として利用できるように申し込んだ会員に対して送付されるものであって、あらかじめ定期券情報データが入力されていて、クレジットカードとしても定期券としても使用することができるカードである。そのため、活性状態のビュースイカ定期券（活性カード）が利用者の手元に届いた時点では、利用者の手持ちのＳｕｉｃａ定期券やビュースイカ定期券における定期券機能の有効期限が切れることが確実な会員に対して郵送される。
【００５７】
なお、本発明の定期券付きクレジットカード発行システムでは、駅窓口や郵送による申込みによって空カードが利用者の手元に送られてくるので、利用者が既存の磁気定期券やＳｕｉｃａ定期券と送られてきた空カードとを駅構内の定期券発売機１２に投入すれば、定期券発売機１２によって前記の活性化処理が行われ、定期券機能とクレジット機能とを有するビュースイカ定期券が利用者に返却される。
【００５８】
次に、非活性化状態のビュースイカ定期券に定期券情報を入力して活性化するための処理の流れを説明する。図８は、非活性化状態のビュースイカ定期券に定期券情報を入力して活性化するための処理の流れを示すフロー図である。まず、利用者は非活性化状態のビュースイカ定期券を駅務機器・端末１の定期券発売機１２へ投入する（ステップＳ１ｂ）。さらに、利用者は、定期券情報を定期券発売機１２へ入力するか、または手持ちの磁気定期券を定期券発売機１２へ投入する。投入されたビュースイカ定期券についてはクレジットの有効期限の判定を行う。そして、クレジットの有効期限を越えたビュースイカ定期券に対しては定期券の発行は行わないようにする（ステップＳ２ｂ）。
【００５９】
なお、通学定期券などのように発行するのに証明書が必要な定期券は、窓口で発行した磁気定期券から発行替えを行う。さらに、定期券発売機１２でビュースイカ定期券に新規発行できる定期券の種類は現行の運用状態に合わせる。また、現行のＳＦ（ストアドフェア）の使用が不可能な定期券は、データをコンバートするときに１ビットを使ってビュースイカ定期券にＳＦ使用不可のフラグを立てる。
【００６０】
次に、現金決済を行う場合は、利用者は、ステップＳ１ｂでビュースイカ定期券を定期券発売機１２へ投入したときに決済に必要な現金を投入する（ステップＳ３ｂ）。また、ビュースイカ定期券でカード決済を行う場合は、利用者が駅務機器・端末１の定期券発売機１２で暗証番号を入力し、ビューカードシステム３のホスト装置３１に対して与信を行う（ステップＳ４ｂ）。すると、ビューカードシステム３のホスト装置３１は与信に対しての結果応答を駅務機器・端末１の定期券発売機１２へ送信する。このとき、ビューカードシステム３のホスト装置３１は与信ＯＫであれば売上計上を行う（ステップＳ５ｂ）。
【００６１】
次に、駅務機器・端末１の定期券発売機１２は、ビューカードシステム３のホスト装置３１から与信ＯＫの応答を受け取ると、ビュースイカ定期券に対して定期券情報をエンコードし、そのビュースイカ定期券の明細情報と定期券購入情報をＩＣカード管理システム２へ送信する（ステップＳ６ｂ）。さらに、ＩＣカード管理システム２は、受信したビュースイカ定期券の明細情報と定期券購入情報をＩＣカード管理システム２内のＩＣカード管理サーバ２２へ送信する（ステップＳ７ｂ）。これによって、駅務機器・端末１の定期券発売機１２は、定期券情報のエンコードされたビュースイカ定期券（つまり、活性化されたビュースイカ定期券）を利用者へ返却する。このとき、発行替えされた磁気定期券の原券は、利用者には返却せずに駅務機器・端末１の定期券発売機１２で回収される（ステップＳ８ｂ）。
【００６２】
次に、ビュースイカ定期券を継続発行するときの処理の流れを説明する。図９は、ビュースイカ定期券を継続発行するときの処理の流れを示すフロー図である。まず、利用者はビュースイカ定期券を駅務機器・端末１の定期券発売機１２へ投入する（ステップＳ１ｃ）。さらに、利用者は、定期券情報を定期券発売機１２へ入力する。これによって、駅務機器・端末１の定期券発売機１２はクレジットの有効期限の判定を行う。このとき、定期券発売機１２は、クレジットの有効期限を越えたビュースイカ定期券に対しては継続発行を行わないようにする（ステップＳ２ｃ）。
【００６３】
さらに、現金決済を行う場合は、利用者は、ステップＳ１ｂでビュースイカ定期券を定期券発売機１２へ投入した直後に現金を投入する（ステップＳ３ｃ）。但し、決済は現金でもビューカードでも行うことができるので、ビューカードで決済を行う場合は現金を投入する必要はない。なお、決済に使用できるビューカードは自分のビュースイカ定期券のみである。
【００６４】
ビュースイカ定期券でカード決済を行う場合は、利用者が駅務機器・端末１の定期券発売機１２で暗証番号を入力し、ビューカードシステム３のホスト装置３１に対して与信を行う（ステップＳ４ｃ）。すると、ビューカードシステム３のホスト装置３１は与信に対しての確認応答を駅務機器・端末１の定期券発売機１２へ送信する。このとき、ビューカードシステム３のホスト装置は与信ＯＫであれば売上計上を行う（ステップＳ５ｃ）。なお、決済に使用できるカードは自分のビュースイカ定期券のみである。
【００６５】
ステップＳ５ｃで、駅務機器・端末１の定期券発売機１２は、ビューカードシステム３のホスト装置３１から与信ＯＫの確認応答を受け取ると、ビュースイカ定期券に対して定期券情報をエンコードし、該当するビュースイカ定期券の明細情報と定期券購入情報をＩＣカード管理システム２の２１へ送信する（ステップＳ６ｃ）。さらに、２１は、受信したビュースイカ定期券の明細情報と定期券購入情報をＩＣカード管理システム２内のＩＣカード管理サーバ２２へ送信する（ステップＳ７ｃ）。これによって、駅務機器・端末１の定期券発売機１２は、継続更新済みのビュースイカ定期券を利用者へ返却する（ステップＳ８ｃ）。なお、ビュースイカ定期券の継続発行も定期券発売機１２によって行うことができる。
【００６６】
また、本発明の定期券付きクレジットカード発行システムでは、上記で説明した処理以外に、手持ちのＳｕｉｃａ定期券から非活性状態のビュースイカ定期券へ定期券情報をコンバートしてビュースイカ定期券を活性化する処理を行うこともできる。この場合、顧客はＳｕｉｃａ定期券と非活性状態のビュースイカ定期券との２枚の定期券を持って駅窓口へ行き、駅務機器・端末１のＰＯＳ端末１３へ投入する。すると、ＰＯＳ端末１３はビュースイカ定期券の活性化処理を行い、活性化されて定期券情報が入力されたビュースイカ定期券が利用者へ渡される。これによって、利用者は活性化されたビュースイカ定期券をクレジット機能と定期券機能として利用することができる。
【００６７】
また、本発明の定期券付きクレジットカード発行システムは、ビュースイカ定期券に入金（チャージ）する処理を行うこともできる。この場合は、顧客は駅務機器・端末１のチャージ可能機器１４、例えば駅構内に設置されているカード発売機、定期券発売機、ＡＬＴＴＥなどへビュースイカ定期券と所定の現金を投入すれは、所定の金額情報がビュースイカ定期券にチャージされる。さらに、ビュースイカ定期券がクレジット有効期限切れになったときにカード更新を行うこともできるし、ビュースイカ定期券を紛失したときに、一旦Ｓｕｉｃａ定期券を発行してから新しいビュースイカ定期券が再発行することもできる。また、ビュースイカ定期券を紛失したときに直接新しいビュースイカ定期券が再発行することもできる。さらに、ビュースイカ定期券の定期券払い戻しやビュースイカ定期券のＳＦの払い戻しを行うこともできる。また、ビュースイカ定期券に障害が発生したときに代用証を発行してから新しいビュースイカ定期券を再発行することもできる。
【図面の簡単な説明】
【００６８】
【図１】本発明においてビュースイカ定期券を運用するための定期券付きクレジットカード発行システムの構成図である。
【図２】図１のシステム構成において、第１の実施の形態でカードを新規発行するときの処理の流れを示すフロー図である。
【図３】図１のシステム構成において、第１の実施の形態で顧客が手持ちの磁気定期券を駅構内の定期券発売機に投入してビュースイカ定期券へ発行替えするときの処理の流れを示すフロー図である。
【図４】図１のシステム構成において、第１の実施の形態で顧客が手持ちのＳｕｉｃａ定期券を駅構内の定期券発売機に投入してビュースイカ定期券へ発行替えするときの処理の流れを示すフロー図である。
【図５】図１のシステム構成において、第１の実施の形態で顧客のビュースイカ定期券が紛失・盗難にあったときの紛失・盗難デスク受付けによるカード再発行の処理の流れを示すフロー図である。
【図６】図１のシステム構成において、第２の実施の形態でビュースイカ定期券を新規発行するときの処理の流れを示すフロー図である。
【図７】図６の続きのフロー図である。
【図８】図１のシステム構成において、第２の実施の形態で非活性化状態のビュースイカ定期券に定期券情報を入力して活性化するための処理の流れを示すフロー図である。
【図９】図１のシステム構成において、第２の実施の形態でビュースイカ定期券を継続発行するときの処理の流れを示すフロー図である。
【符号の説明】
【００６９】
１  駅務機器・端末  ２  ＩＣカード管理システム  ３  ビューカードシステム  ４  駅収入管理システム  ５  カード発行システム  １１カードベンダ  １２定期券発売機  １３  ＰＯＳ端末  １４チャージ可能機器  １５払戻し可能機器  １７  窓口精算機    １８  マルスホスト    ２１  ２２  ＩＣカード管理サーバ  
【図１】
2007265070.tif 000003
【図２】
2007265070.tif 000004
【図３】
2007265070.tif 000005
【図４】
2007265070.tif 000006
【図５】
2007265070.tif 000007
【図６】
2007265070.tif 000008
【図７】
2007265070.tif 000009
【図８】
2007265070.tif 000010
【図９】
2007265070.tif 000011